(57)【特許請求の範囲】
【請求項１】
遊技に供する操作部と、
所定数の遊技球を貯留するための皿部と、
前記皿部へ遊技球を排出させるための球排出口を有し、前記皿部の後面に設置された後板部材と、
後側に開口した開口部に連通して形成された収納領域に前記皿部及び前記後板部材を収納するカバー部材と、
前記皿部及び前記後板部材を前記カバー部材に固定する固定部材とから構成された球受け皿を機前面側に備えた遊技機であって、
前記固定部材の一部は、前記カバー部材の開口部側の幅方向の一方の端部の後側に設けた第１の固定部及び前記カバー部材の開口部側の幅方向の他方の端部の後側に設けた第２の固定部に亘って架設されたステーと、前記第１の固定部及び前記第２の固定部の少なくとも何れか一方に前記ステーを指先操作で着脱自在に固定する固定具とから構成されており、
前記固定部材の他の一部は、前記後板部材の後面に当接し、指先操作によって着脱自在に配設され、前記皿部から流下する遊技球を取り込む球取込装置であり、前記球取込装置は、前記後板部材の下縁を跨ぐように、前記後板部材の後面に配置され、かつ前記カバー部材に固定されている、ことを特徴とする遊技機。
【請求項２】
前記後板部材は、後面に前記球取込装置の一部を嵌合させる溝部を有し、
前記カバー部材は、前記球取込装置の他の一部を収容するための配設領域を有し、
前記球取込装置は、前記溝部及び前記配設領域によって形成される収納領域に収納された状態で前記カバー部材に固定されている、
ことを特徴とする請求項１に記載の遊技機。
【請求項３】
前記第１の固定部には、前記ステーの一方の端部を係合するための係合部が形成され、
前記ステーは、その一方の端部を前記係合部に係合させると共に、前記固定具を前記第２の固定部に固定させることにより他方の端部が支持されて、前記第１の固定部と前記第２の固定部とに亘って架設される、
ことを特徴とする請求項１又は請求項２に記載の遊技機。
【請求項４】
前記係合部は前記カバー部材の開閉の支点となる基端と同じ側に設けられていることを特徴とする請求項３に記載の遊技機。
【請求項５】
前記遊技球に基づき実行されるゲームを遊技者に視認させるための窓部を有すると共に、開閉可能とされた前枠を備え、
前記カバー部材は、前記前枠と一体に成型され、
前記前枠及び前記カバー部材の後方に、
その幅方向の一方の側端縁部に沿って第１の補強部材が配設されると共に、
前記カバー部材の幅方向の他方の側端縁部に沿って第２の補強部材が配設され、
前記第１の固定部は、前記第１の補強部材におけるカバー部材への対向位置に形成され、前記第２の固定部は、前記第２の補強部材におけるカバー部材への対向位置に形成されたことを特徴とする請求項１乃至請求項４のいずれか一つに記載の遊技機。
【請求項６】
前記ステーは前記後板部材の後面の上側を支持し、前記球取込装置は当該後面の下側を支持する、ことを特徴とする請求項１乃至請求項５のいずれか一つに記載の遊技機。
【発明の詳細な説明】
【技術分野】
【０００１】
本発明は、パチンコ機等の遊技機に関するものである。
【背景技術】
【０００２】
従来より、遊技機の一種であるパチンコ機やパチンコ機と同様に遊技球を使用するスロットマシン（所謂パロット）は、遊技球を貯留しうる球受け皿が遊技機前面側に配設されている。この種の遊技機は、前記球受け皿に貯留された遊技球を所定個数ずつ遊技機内に送り込むことで遊技が行われている（例えば、特許文献１参照）。
【０００３】
特許文献１に開示されている遊技機は、遊技球を貯留する球受け皿ユニット１５（上記球受け皿に相当）を球受け皿部４５、その球受け皿部４５の後側に位置する後板部材３１、その後板部材３１との間に球受け皿部４５を介在させ、種々の部品を収容しうると共に後側に開口する収納領域２２を画成したカバー部材２１及びそのカバー部材２１又は後板部材３１を回動可能に枢支するヒンジ機構５１から構成され、ヒンジ機構５１を介して後板部材３１又はカバー部材２１を回動させることで、収納領域２２の開放又は閉成がなされるように構成されている。
【０００４】
なお、後板部材３１の裏面には、金属板部材４０が組み付けられている。この金属板部材４０は、後板部材３１における後面のほぼ全面を覆うことができる大きさに形成されて、後板部材３１に歪みが発生したり、上球皿ユニット１５に前後を貫通する孔を設けて該孔を介して遊技機内部に異物を挿入する等の不正行為が行われたりするのを防止するために設けられているものである。
【０００５】
【特許文献１】特開２００５−５２４２３号公報
【発明の開示】
【発明が解決しようとする課題】
【０００６】
上記特許文献１では、球受け皿ユニット１５が、後板部材３１に、球受け皿部４５と、金属板部材４０とをネジにより固定して一体に取り扱えるように組み付けたもとで、その後板部材３１とカバー部材２１とを、ネジにより強固に固定している。そのため、ヒンジ機構５１を介して後板部材３１又はカバー部材２１の何れかを回動させる場合には、工具を用いて当該ネジを取り外す必要があった（上記特許文献１明細書段落［０００７］参照）。
【０００７】
従って、収納領域２２に収容された電子部品交換等のメンテナンスや組み立ての際に行う収納領域２２の開放又は閉成には手間や時間がかかるという問題があった（以上に記載の符号は特許文献１におけるものである。）。
【０００８】
本発明は、以上の問題点に鑑みてなされたものであって、その目的は、カバー部材内に形成された収納領域に収納・設置される各種電子部品（スイッチ類やランプ類）を交換したり、メンテナンスする際に、それらへの作業性を向上させた遊技機を提供することにある。
【課題を解決するための手段】
【０００９】
上記課題を解決するための、請求項１記載の発明に係る遊技機は、遊技に供する操作部と、所定数の遊技球を貯留するための皿部と、前記皿部へ遊技球を排出させるための球排出口を有し、前記皿部の後面に設置された後板部材と、後側に開口した開口部に連通して形成された収納領域に前記皿部及び前記後板部材を収納するカバー部材と、前記皿部及び前記後板部材を前記カバー部材に固定する固定部材とから構成された球受け皿を機前面側に備えた遊技機であって、前記固定部材の一部は、前記カバー部材の開口部側の幅方向の一方の端部の後側に設けた第１の固定部及び前記カバー部材の開口部側の幅方向の他方の端部の後側に設けた第２の固定部に亘って架設されたステーと、前記第１の固定部及び前記第２の固定部の少なくとも何れか一方に前記ステーを指先操作で着脱自在に固定する固定具とから構成されており、前記固定部材の他の一部は、前記後板部材の後面に当接し、指先操作によって着脱自在に配設され、前記皿部から流下する遊技球を取り込む球取込装置であり、前記球取込装置は、前記後板部材の下縁を跨ぐように、前記後板部材の後面に配置され、かつ前記カバー部材に固定されている、ことを特徴とする。
また、請求項２記載の発明に係る遊技機は、請求項１に記載の遊技機において、前記後板部材は、後面に前記球取込装置の一部を嵌合させる溝部を有し、前記カバー部材は、前記球取込装置の他の一部を収容するための配設領域を有し、前記球取込装置は、前記溝部及び前記配設領域によって形成される収納領域に収納された状態で前記カバー部材に固定されている、ことを特徴とする。
【００１０】
かかる構成とすることにより、指先操作により固定具（例えば、つまみ付きネジ）を外して皿部及び後板部材を支持するステーを容易に取り外すことができる。このように、カバー部材に対して皿部及び後板部材を着脱する作業にあって、工具を不要としたので、カバー部材に形成された収納領域の開放又は閉成に要する作業性を向上させることができる。例えば、前記収納領域にＬＥＤ基板やストップボタン等の電子部品が配設されている場合にあっては、より好適に交換作業を行うことができる。さらに、かかる構成にすることにより、ヒューマンエラー等を原因とするステーの取り付け不備の場合でも、球取込装置が後板部材の後面に当接しているので、カバー部材に対して前記皿部及び後板部材を確実に固定することができる。また、当該球取込装置も指先操作によって着脱自在とすることで作業性を低下させることなくカバー部材に対して前記皿部及び後板部材を確実に固定することができる。
【００１１】
上記課題を解決するための、請求項３記載の発明に係る遊技機は、請求項１又は請求項２に記載の遊技機において、前記第１の固定部には、前記ステーの一方の端部を係合するための係合部が形成され、前記ステーは、その一方の端部を前記係合部に係合させると共に、前記固定具を前記第２の固定部に固定させることにより他方の端部が支持されて、前記第１の固定部と前記第２の固定部とに亘って架設されることを特徴とする。
また、請求項４記載の発明に係る遊技機は、請求項３に記載の遊技機において、前記係合部は前記カバー部材の開閉の支点となる基端と同じ側に設けられていることを特徴とする。
【００１２】
かかる構成とすることにより、第２の固定部に対して固定具を着脱させることで、ステーの取り外し／取り付けが可能となり、前記収納領域の開放又は閉成に要する作業効率を向上させることができる。また、前記固定具のように必要最小限の部品で前記ステーを前記第１の固定部及び第２の固定部に架設したので、それらの固定に係る部品点数を削減することが出来、結果としてコストを下げることができる。
【００１３】
上記課題を解決するための、請求項５記載の発明に係る遊技機は、請求項１乃至請求項４のいずれか一つに記載の遊技機において、前記遊技球に基づき実行されるゲームを遊技者に視認させるための窓部を有すると共に、開閉可能とされた前枠を備え、前記カバー部材は、前記前枠と一体に成型され、前記前枠及び前記カバー部材の後方に、その幅方向の一方の側端縁部に沿って第１の補強部材が配設されると共に、前記カバー部材の幅方向の他方の側端縁部に沿って第２の補強部材が配設され、前記第１の固定部は、前記第１の補強部材におけるカバー部材への対向位置に形成され、前記第２の固定部は、前記第２の補強部材におけるカバー部材への対向位置に形成されたことを特徴とする。
【００１４】
かかる構成とすることにより、球受け皿自体に衝撃が加えられた場合であっても、ステーに対する衝撃力が分散されやすくなり、当該ステーによる前記皿部及び前記後板部材の保持が保たれ、結果として前記カバー部材に対して前記皿部及び前記後板部材を確実に固定させることができる。
【００１５】
上記課題を解決するための、請求項６記載の発明に係る遊技機は、請求項１乃至請求項５のいずれか一つに記載の遊技機において、前記ステーは前記後板部材の後面の上側を支持し、前記球取込装置は当該後面の下側を支持する、ことを特徴とする。
【発明の効果】
【００２２】
以上説明したように、本発明によれば、カバー部材に収納された前記皿部及び前記後板部材を保持するステーを、固定具（例えば、つまみ付きネジ）で固定しているので、ステーと前記皿部及び前記後板部材とを簡単に着脱でき、前記カバー部材内に収納された前記皿部及び前記後板部材を取り外せば、前記カバー部材の内部（裏側）に設けられた各種電子部品（スイッチ類やランプ類）に容易にアクセスすることができ、それらの交換やメンテナンスに要する作業負担を軽くすることができる。また、前記ステーを、固定具（例えば、つまみ付きネジ）で固定しているので、組み立て時の組み立て工程も削減でき、作業者の負担も軽くすることができる。
【発明を実施するための最良の形態】
【００２３】
次に、本発明に係る遊技機につき、好適な実施形態を挙げて、図面を参照しながら、以下詳細に説明する。
【００２４】
なお、本実施形態では、遊技機として、パチンコ球を遊技媒体として使用し、スロット遊技を提供する一般的なパロット機を例にして説明する。本実施の形態における遊技機は、基本的な遊技内容については、いわゆるスロットマシンと似通った性質を具備するものである。但し、遊技に際しては所定数の遊技媒体としての遊技球（例えばパチンコ機と同様の遊技球：パチンコ球）を必要とし、所定条件が成立した場合には複数の遊技球、場合によっては大量の遊技球が払い出されるよう構成されている。
【００２５】
また、以下の説明において、前・後及び左・右とは、図１に示すように遊技機１を正面から見た状態で指称するものとする。
【００２６】
（全体の構成）
図１は、本実施形態における遊技機の構成を示す正面図である。図１に示すように、遊技機１は、本体枠としての外枠２と、この外枠２の前部に設けられ、外枠２の一方の側部に設けられたヒンジ部１２によって開閉可能に支持された中枠３と、この中枠３の前部に設けられ、中枠３の一方の側部に設けられたヒンジ部１２によって開閉可能に支持された前枠部４とにより構成され、外枠２が遊技ホールの島設備に取り付け固定される。前枠部４は、外枠２に対して回動自在に枢支されると共に、その枢支端（ヒンジ部１２）と反対側の側部の裏面に設けられた施錠装置の操作により、外枠２に対して中枠３と一体で開閉し得るように構成される。
【００２７】
前枠部４の前面中央には、中枠３に設置されて前枠部４の裏面に臨む可変表示装置（図示せず，例えば、リールユニット）を覆い、前記可変表示装置を視認する窓部１３が設けられている。
【００２８】
窓部１３の下方位置には、入賞により払い出された遊技球を貯留するとともに、この貯留した遊技球を前枠部４の裏面に設けた球取込装置５０（図４参照）へ供給する球受け皿１５が配置されている。
【００２９】
また、前枠部４における最下部（球受け皿１５の下方）には、球受け皿１５からオーバーフローした遊技球を貯留する下皿１６が配設されている。
【００３０】
球受け皿１５は、前枠部４の前方に膨出したカバー部材１５０によって外形が構成されている。そして、そのカバー部材１５０の上面及び前面には操作部１４が構成されている。
【００３１】
（操作部１４の構成）
操作部１４には、レバー１４１、ストップボタン１４２及び精算ボタン１４５が前面に設けられ、ＢＥＴボタン１４３及び切替ボタン１４４が上面に設けられている。レバー１４１は、操作部１４の左側に配設され、前記各リールの回転を一斉に開始させる（図柄組み合わせゲームにおける可変表示を開始させる）ために操作される始動操作手段を構成する。
【００３２】
レバー１４１の右側には、回転中の前記各リールを個別に停止させるためのストップボタン１４２，１４２，１４２が設けられている。各ストップボタン１４２，１４２，１４２は、停止対象となるリールに対応するように配設されている。ストップボタン１４２，１４２，１４２は、可変表示を停止させる停止手段、及び可変表示を停止させるべく操作される停止操作手段を構成する。なお、本実施形態では、ストップボタン１４２、１４２，１４２が押圧操作されないまま所定時間経過すると、前記リールが停止させられるよう構成されている。
【００３３】
また、レバー１４１の上方（カバー部材１５０の上面）には、遊技球を投入するための入力手段を構成するＢＥＴボタン１４３が設けられている。このＢＥＴボタン１４３は、遊技媒体（又は記憶遊技媒体）である遊技球を必要数分だけ投入するためのものである。
【００３４】
さらに、切替ボタン１４４は、既に取り込まれ、貯留記憶された状態となっている遊技球や、所定条件成立の結果、遊技者に払い出される遊技球の取扱形式を変更するために操作される。この取扱形式の変更とは、例えば、払い出される遊技球の取扱を現実の遊技球として後述する下皿１６から排出させるのか、又は仮想遊技球として遊技機の制御装置に貯留記憶させるのかを変更することを意味する。
【００３５】
一方、精算ボタン１４５は、球受け皿１５（後述する皿部１５１）に貯留されている遊技球を下皿１６に排出するためのものである。すなわち、遊技者が遊技を終了して球受け皿１５に貯留されている遊技球を取り出そうとした場合に、当該精算ボタン１４５が押圧操作されることで、球受け皿１５内の遊技球が下皿１６に排出される。これに加え、精算ボタン１４５は、ＢＥＴボタン１４３の押圧操作により一旦取り込まれた遊技球や、前述した貯留記憶された遊技球を払い出す機能をも具備する。
【００３６】
次に、本実施形態における球受け皿１５の構成及び前枠部４の裏側の構成について図面を参照して、以下に説明する。図２は、本実施形態における球受け皿の構成及び前枠部の裏側の構成を示す分解斜視図である。また、図３は、本実施形態における前枠部の裏側の構成を示す分解斜視図である。
【００３７】
（球受け皿の構成）
図２及び図３に示すように、前枠部４の左右方向の略全長に亘って前方に矩形状に膨出して形成されたカバー部材１５０の膨出部分の上側及び後側には、それぞれ開口部が形成されており、上側に開口した上方開口部１５０ａと後側に開口した後方開口部１５０ｂとが連通している。この連通された空間が収納領域Ｓ１を形成する（図３参照）。
【００３８】
（カバー部材の構成）
カバー部材１５０は、前枠部４の左右方向の略全長に亘って前方に矩形状に膨出して形成されている。カバー部材１５０の内部は上側及び後側に開口部を有する中空構造になっており、この中空構造とされた内部（収納領域Ｓ１）に後述する遊技球を貯留するための皿部１５１及び後板部材１５２が収納される。そして、そのカバー部材１５０の膨出部分の上部の一部は、遊技球を貯留するために皿形状をなしている。
【００３９】
すなわち、カバー部材１５０は、前枠部４の前方に膨出し、上側と後側とを貫通する貫通孔が形成された形状をなすものであり、この貫通孔が形成された領域が皿部１５１及び後板部材１５２を収納する収納領域Ｓ１である。そして、カバー部材１５０と、このカバー部材１５０の形状によって形成された収納領域Ｓ１に収納された皿部１５１及び後板部材１５２と、これら皿部１５１及び後板部材１５２を収納領域Ｓ１に確実に固定するための固定手段１００によって球受け皿１５は構成される。
【００４０】
また、このカバー部材１５０の膨出部分の前面及び上面には、操作部１４が構成されているので、カバー部材１５０の前面側及び上面側には、操作部１４を構成するレバー１４１、ストップボタン１４２、ＢＥＴボタン１４３、切替ボタン１４４及び精算ボタン１４５が設置され、カバー部材１５０の裏側（内部）の収納領域Ｓ１では、操作部１４を構成する各部品の端子部分６０（図３参照；図３に示した端子部分６０は、ストップボタン１４２（右端）の端子部分を示す）や、遊技演出用に設けられたＬＥＤ基板や、それら部品のカバー部材１５０への着脱機構などを臨むことができ、操作部１４を構成する各部品の故障やメンテナンス時には、収納領域Ｓ１側から各部品を取り外したり、修理したりすることができる。
【００４１】
（皿部の構成）
皿部１５１は、図２に示すように、その左側に位置して前後方向に所要の幅寸法を有する半椀形状をなし、多数の遊技球を貯留可能な球貯留部１５１ａと、該球貯留部１５１ａの右側に連続的に形成されて前後の幅寸法を前記遊技球の直径寸法と略同等に設定した球整流路１５１ｂとから構成されており、該球貯留部１５１ａ及び球整流路１５１ｂのそれぞれは、後方及び上方に開口している。
【００４２】
すなわち、皿部１５１（球貯留部１５１ａ及び球整流路１５１ｂ）の後方開口は、後述する後板部材１５２によって遮蔽されるように構成されている。
【００４３】
なお、皿部１５１の底面は、所定の傾斜角度で右側に向かうにつれて、下方傾斜するよう形成されると共に、後板部材１５２に形成された球排出口１５２ａ（後述）が球貯留部１５１ａに開口し、球取込口１５２ｂが球整流路１５１ｂの傾斜下端部側に開口するように後板部材１５２に取り付けてある。
【００４４】
また、実際の遊技ホールでは、遊技機１の左側に球貸し装置（図示せず）が設けられることとなり、この球貸し装置への紙幣や硬貨等の投入によりノズルなどを通じて遊技球がこの球貯留部１５１ａに供給されるようになっている。
【００４５】
（後板部材の構成）
図２に示すように、後板部材１５２は、カバー部材１５０の後方の開口部（収納領域Ｓ１）を閉成可能な板状に形成される。そして、後板部材１５２における左側位置には、前後方向に開口する球排出口１５２ａが開設されており、該球排出口１５２ａから後方に向けて延出した連絡筒部１５２ｃを介して前記球払出装置で払い出した遊技球が皿部１５１（球貯留部１５１ａ）に排出されるようになっている。
【００４６】
一方、後板部材１５２における右側部分には、遊技に応じて作動される球取込装置５０に連通する球取込口１５２ｂが開設され、後板部材１５２の裏側における球取込口１５２ｂに対応する位置に、球取込装置５０（図４参照）が着脱自在に配置される。
【００４７】
なお、後板部材１５２の裏面側には、球取込装置５０を嵌合させる溝部１５２ｄが形成されている（図３参照）。この溝部１５２ｄは、球取込装置５０の前後方向（厚さ方向）の一部及び上下方向の一部が収納される溝形状の領域である。
【００４８】
ここで、収納領域Ｓ１に収納された皿部１５１及び後板部材１５２が、カバー部材１５０と球取込装置５０とで挟むようにされていれば、溝部１５２ｄは溝形状をなさなくともよい。すなわち、少なくとも球取込装置５０が後板部材１５２に対して後方から当接可能な領域が溝部１５２ｄに代わるものとして確保されていればよい。なお、溝部１５２ｄが形成されることによって球取込装置５０がより強固に固定され、結果として後板部材１５２及び皿部１５１を確実に支持できることは明らかである。そして、この球取込装置５０は、固定部材１００の一部として、ステー１１０と共に、後板部材１５２の後側から支持することとなる。なお、この球取込装置５０は、単独の固定部材１００として後板部材１５２の後側から皿部１５１及び後板部材１５２を支持するようにしてもよい。この場合、球取込装置５０及び溝部１５２ｄの形状を、球取込装置５０のみで皿部１５１及び後板部材１５２を左右方向にバランスよく支持するための形状とすることが好適である。
【００４９】
（前枠部の裏側の構成）
固定部材１００は、前枠部４の幅方向の両側縁部に沿ってそれぞれ裏側に設置された金属製の補強部材（第１の補強部材２１，第２の補強部材２２）に架設されたステー１１０と、そのステー１１０の一端を第１の補強部材２１において固定する第１の固定部１０１と、ステー１１０の他端を第２の補強部材２２において固定する第２の固定部１０２とから構成され、架設されたステー１１０は、カバー部材１５０に収納された後板部材１５２（皿部１５１を含む）の後面を付勢するように設置される。
【００５０】
ここで、第１の補強部材２１及び第２の補強部材２２は、固定部材１００を構成する第１の固定部１０１及び第２の固定部１０２を、遊技機１の前枠部４の裏側（カバー部材１５０の後方）に設けるにあたって、球受け皿１５（カバー部材１５０）に衝撃が加わった際、固定部材１００に架設されるステー１１０に対する衝撃力を分散させる目的で設けられるものである。
【００５１】
従って、第１の補強部材２１において、カバー部材１５０のほぼ後方の位置（収納領域Ｓ１に皿部１５１を接合した後板部材１５２を収納したときの当該後板部材１５２の左端近傍）に第１の固定部１０１が形成され、第２の補強部材２２において、カバー部材１５０のほぼ後方の位置（収納領域Ｓ１に皿部１５１を接合した後板部材１５２を収納したときの当該後板部材１５２の右端近傍）に第２の固定部１０２が形成される。
【００５２】
また、本実施形態では、前枠部４の幅方向の両側縁部に沿ってそれぞれ裏側に設置された補強部材のうち、ヒンジ部１２に近い側の補強部材を第１の補強部材２１としている。従って、外枠２に対して前枠部４を開放させた場合に、外枠２から大きく離間する側の側縁部に第２の補強部材２２が配設されるため、当該第２の補強部材２２には、外枠２や中枠に対して係合可能とされた施錠機構２０ａが配設される。すなわち、第２の補強部材２２は、この施錠機構２０ａの台座としての施錠基材２０ｂとして機能する。
【００５３】
第１の固定部１０１は、ステー１１０の一端に形成された係合片１１１に係合する係合孔１０１ａの態様をもってなり、第２の固定部は、第２の補強部材２２に形成されたネジ孔１０２ａの態様をもってなる。従って、ステー１１０の一端に形成された係合片１１１を係合孔１０１ａに挿入・係合させた状態で、ネジ孔１０２ａとステー１１０の他端に形成されたネジ孔１１２とを併せて、つまみ付きネジ１２０（固定具）で指先操作に基づき着脱自在に螺合（固定）することによってステー１１０が架設固定される。
【００５４】
なお、本実施形態では、第２の固定部１０２に対する固定具として、指先操作によって螺着可能なつまみ付きネジ１２０を採用したが、これに限られることなく、第１の固定部１０１に対する固定具として、指先操作によって螺着可能なつまみ付きネジ１２０を採用してもよい。この場合、第１の補強部材２１に設けられる第１の固定部１０１は、第２の固定部１０２と同様にネジ孔が形成され、ステー１１０の両端には、それぞれネジ孔が形成されることになるので、ステー１１０の両端部がつまみ付きネジ１２０によって第１の固定部１０１（第１の補強部材２１）及び第２の固定部１０２（第２の補強部材２２）に架設固定されることになる。
【００５５】
また、後板部材１５２の後方を支持するように設置されるステー１１０が金属によって形成されることによって、後板部材１５２に歪みが生じたり、球受け皿１５に前後を貫通する孔を設け、該孔を介して遊技機１の内部に異物を挿入する等の不正行為が行なわれるのを防止することができる。このような効果は、特許文献１に記載の金属板部材４０と同様であるが、本発明に係る遊技機では、ステー１１０の設置態様に特徴がある。
【００５６】
（配設領域の画成）
一方、収納領域Ｓ１に皿部１５１及び後板部材１５２を収納した後に後板部材１５２に設けられた球取込口１５２ｂに連結される球取込装置５０（図４参照）の一部を収納するための溝形状の配設領域Ｓ２が収納領域Ｓ１に連通するように形成されている。従って、溝部１５２ｄと配設領域Ｓ２とによって形成された領域に球取込装置５０の上下方向の全体が収納されることとなる。
【００５７】
また、配設領域Ｓ２には、球取込装置５０に設けられた固定手段５０ａ（図４参照）と係合し、この固定手段５０ａに対して位置決めされた係合孔５１が形成されている。
【００５８】
なお、配設領域Ｓ２の画成位置（球取込装置５０の設置位置）は、球取込装置５０の設置がステー１１０の設置に干渉しないように設定される。例えば、第１の補強部材２１と第２の補強部材２２との間に架設されたステー１１０よりも下方に球取込装置５０は配設され、後板部材１５２は、その後面の上側がステー１１０によって支持され、当該後面の下側を球取込装置５０が支持するようになっている。従って、このように後板部材１５２の後面の上側及び下側が支持されるので、確実な固定を図ることができる。
【００５９】
（球取込装置について）
球取込装置５０は、遊技者による遊技球の投入操作やクレジット操作等に基づき、遊技球が所定個数ずつ取り込まれる装置である。そして、所定個分の遊技球が取り込まれる毎にその都度の遊技（ゲーム）の開始条件が成立し、遊技開始の準備が整えられるようになっている。このとき、遊技球は所定個数ずつ取り込まれた後、遊技機１の外部（図示しない排出通路）に排出される。
【００６０】
前記投入操作等が行われた場合、球取込装置５０が作動し、これにより皿部１５１にある遊技球が所定個数ずつ取り込まれる。また、遊技中に所定条件が成立した場合には、前記払出装置（図示せず）が作動し、これによりタンク（図示せず）に貯留されている遊技球が、払出通路１５２ｃ等を介して基本的には皿部１５１に払い出される。
【００６１】
本実施の形態における実際の遊技球の取込は、前述の通り球取込装置５０によって行われる。なお、球取込装置５０よりも上流側の取込通路（図示せず）には、１個１個の遊技球の存在の有無を検出可能なフォトセンサよりなる取込検出センサ（図示せず）が複数個配設されている。当該検出センサの存在によって、１ＢＥＴ分（５個）、２ＢＥＴ分（１０個）或いは最大ＢＥＴ分（１５個）などと設定された遊技球を一度に取込可能か否かを検出できるようになっている。
【００６２】
以上の構成よりなる遊技機１において、収納領域Ｓ１に皿部１５１及び後板部材１５２を収納し、さらに、球取込口１５２ｂに連結される球取込装置５０を配設領域Ｓ２に収納したときの背面図が図４である。
【００６３】
図４に示すように、収納領域Ｓ１に皿部１５１及び後板部材１５２が収納され、第１の補強部材２１に設けられた第１の固定部１０１と第２の補強部材２２に設けられた第２の固定部１０２とに亘って架設されたステー１１０は、後板部材１５２の後面に当接するように配設されることとなり、後板部材１５２を後方から支持することとなる。
【００６４】
また、配設領域Ｓ２に少なくとも一部が収納された球取込装置５０は、ステー１１０に干渉しないように設置されているので、第１の補強部材２１と第２の補強部材２２との間に架設されたステー１１０よりも下方に球取込装置５０は配設され、後板部材１５２は、その後面の上側がステー１１０によって支持され、当該後面の下側を球取込装置５０が支持するようになっている。
【００６５】
さらに、配設領域Ｓ２に収納された球取込装置５０には、前述した係合孔５１に対応する位置に固定手段５０ａが設けられている。この固定手段５０ａには、指先操作によって球取込装置５０自体を配設領域Ｓ２に脱着可能な回転クリップが採用される。なお、この固定手段５０ａや前述のつまみ付きネジ１２０などのように、指先操作によって複数の部材を脱着可能とするものとしては、つまみ付きネジや回転クリップの他に、ナイラッチや旋回式レバーなどが採用されてもよい。
【００６６】
このように、指先操作で容易かつ確実に脱着可能とされた球取込装置５０が、ステー１１０と同様に、後板部材１５２の後面を支持することによって、ヒューマンエラー等によってステー１１０の取り付けが確実になされなかった場合でも、球取込装置５０が後板部材１５２の後面に当接しているので、当該球取込装置５０とカバー部材１５０とによって皿部１５１及び後板部材１５２を挟んで、確実に固定することができる。
【００６７】
また、球取込装置５０も指先操作によって着脱自在としたので、容易に球取込装置５０を配設領域Ｓ２から離脱させることができ、カバー部材１５０に設けられた操作部１４を構成する各種部品を着脱したり、端子部分６０等にアクセスする必要が生じた場合に、その作業性を低下させることない。
【００６８】
次に、カバー部材１５０に形成された収納領域Ｓ１への皿部１５１及び後板部材１５２の収納状態及び、皿部１５１と共に収納領域Ｓ１へ収納された後板部材１５２を支持・固定するためのステー１１０の設置動作について図５（ａ）及び図５（ｂ）を参照して以下に説明する。
【００６９】
図５（ａ）は、図４におけるＡ−Ａ断面図であり、図５（ｂ）は、ステー１１０の係合片１１１を第１の固定部１０１に係合させて第２の固定部１０２にステー１１０の他端に螺着されたつまみ付きネジ１２０を取り付ける状態（ステー１１０の設置動作）、又は、架設固定されたステー１１０の他端に螺着されたつまみ付きネジ１２０を第２の固定部１０２からはずした状態（ステー１１０の離脱動作）の図４におけるＢ−Ｂ断面図である。
【００７０】
図５（ａ）に示すように、カバー部材１５０の内面側に形成された収納領域Ｓ１に収納された皿部１５１及び後板部材１５２は、カバー部材１５０と、後板部材１５２の後面上側に当接するステー１１０とによって保持されると共に、カバー部材１５０と、後板部材１５２の後面下側に当接する球取込装置５０とによって保持されている。
【００７１】
なお、後板部材１５２に接合された皿部１５１は、収納領域Ｓ１に収納される際、カバー部材１５０の上方に形成された上方開口部１５０ａの内縁形状と皿部１５１の外縁形状とが合うように当該収納領域Ｓ１に収納される。
【００７２】
次に、皿部１５１と共に収納領域Ｓ１へ収納された後板部材１５２を支持・固定するためのステー１１０の設置動作は、図５（ｂ）に示すように、まず、一体的に取り扱い得るように組み付けた皿部１５１及び後板部材１５２を、カバー部材１５０の収容空間Ｓ１に収容する。
【００７３】
次に、ステー１１０の係合片１１１を、第１の補強部材２１に形成された第１の固定部１０１（係合孔１０１ａ）に係合させた後、その第１の固定部１０１（係合孔１０１ａ）を支点としてカバー部材１５０の右端方向にステー１１０を回動させて、後板部材１５２の後面に当接させる。
【００７４】
最後に、ステー１１０の他端（ネジ孔１１２）に螺着されたつまみ付きネジ１２０を、指先操作により第２の固定部１０２に設けられたネジ孔１０２ａに螺着させて、ステー１１０を後板部材１５２の背面（カバー部材１５０の後側）に固定する。
【００７５】
さらにその後、球取込装置５０を取付けると、その球取込装置５０によって溝部１５２ｄと後板部材１５２の左側下端とが押えられる。
【００７６】
そして、皿部１５１及び後板部材１５２を収納領域Ｓ１から離脱させてカバー部材１５０の後面側に配設された端子部分６０などを臨む際のステー１１０の設置動作は、まず、溝部１５２ｄ及び後板部材１５２の左側下端に当接している球取込装置５０の固定手段５０ａを指先操作にて解除して配設領域Ｓ２及び溝部１５２ｄから球取込装置５０を離脱させる。
【００７７】
次に、ステー１１０の他端（ネジ孔１１２）に螺着されたつまみ付きネジ１２０を、指先操作によりネジ孔１０２ａからはずし、第１の固定部１０１（係合孔１０１ａ）を支点としてカバー部材１５０から離間する方向にステー１１０を回動させて、ステー１１０が、第１の補強部材２１に形成された第１の固定部１０１（係合孔１０１ａ）に係合片１１１を遊嵌させた状態にし、第１の固定部１０１（係合孔１０１ａ）から係合片１１１をはずすことによってステー１１０がはずされる。
【００７８】
最後に、後板部材１５２の後方に対するステー１１０の支持が解除されることによって、皿部１５１及び後板部材１５２を収納領域Ｓ１から離脱させることができ、前枠部４の背面からは、カバー部材１５０の後面側に配設された端子部分６０などを臨むことができる。
【００７９】
このように、ステー１１０の一端に形成された係合片１１１を、係合孔１０１ａに遊嵌させた状態で、ステー１１０の他端側で、第２の固定部１０２に対して確実かつ容易に脱着できる固定具（例えば、つまみ付きネジ１２０）を用いた固定を行う構成としたことにより、指先操作により前記固定具を外して皿部１５１及び後板部材１５２を支持するステーを容易に取り外すことができる。そして、カバー部材１５０に対して皿部１５１及び後板部材１５２を着脱する作業にあって、工具を不要としたので、カバー部材１５０に形成された収納領域Ｓ１の開放又は閉成に要する作業性を向上させることができる。
【００８０】
また、球取込装置５０が、固定部材１００の一部として、ステー１１０と共に後板部材１５２の後側から支持することとなり、後板部材１５２の後面の上側がステー１１０によって支持され、当該後面の下側を球取込装置５０が支持するので、皿部１５１及び後板部材１５２の確実な固定を図ることができる。
【００８１】
なお、前述の実施形態において、カバー部材１５０の構成を、前枠部４から膨出して一体形成された構成としたが、これに限られるものではなく、前枠部４に対してヒンジなどで開閉可能に枢支される構成としてもよい。
【００８２】
次に、上記実施形態から把握できる技術的思想について以下に追記する。
【００８３】
前記第１の固定部及び前記第２の固定部には、つまみ付きネジよりなる前記固定具を螺着させるためのネジ孔がそれぞれ形成され、前記ステーは、その両端部を支持した前記固定具を前記ネジ孔に各々螺合させることにより、前記第１の固定部と前記第２の固定部とに亘って架設されることを特徴とする請求項１に記載の遊技機。
【図面の簡単な説明】
【００８４】
【図１】本発明に係る遊技機の一実施形態における構成を示す正面図。
【図２】本発明に係る遊技機の一実施形態における前枠部の後方側の構成を示す分解背面図。
【図３】本発明に係る遊技機の一実施形態における前枠部の後方側の構成を示す分解背面図。
【図４】本発明に係る遊技機の一実施形態において、収納空間内の皿部及び後板部材を固定部材によって固定したときの前枠部の後方側の構成を示す背面図。
【図５】（ａ）は図４におけるＡ−Ａ断面図、（ｂ）は図４におけるＢ−Ｂ断面図。
【符号の説明】
【００８５】
１  遊技機
２  外枠
３  中枠
４  前枠部
１２  ヒンジ部
１３  窓部
１４  操作部
１４１  レバー
１４２  ストップボタン
１４３  ＢＥＴボタン
１４４  切替ボタン
１４５  精算ボタン
１５  球受け皿
１５０  カバー部材
１５０ａ  上方開口部
１５０ｂ  後方開口部
１５１  皿部
１５１ａ  球貯留部
１５１ｂ  球整流路
１５２  後板部材
１５２ａ  球排出口
１５２ｂ  球取込口
１５２ｃ  連絡筒部
１５２ｄ  溝部
１６  下皿
２０ａ  施錠機構
２０ｂ  施錠基材
２１  第１の補強部材
２２  第２の補強部材
５０  球取込装置
５０ａ  固定手段
５１  係合孔
６０  端子部分
１０１  第１の固定部
１０１ａ  係合孔
１０２  第２の固定部
１０２ａ  ネジ孔
１１０  ステー
１１１  係合片
１１２  ネジ孔
１２０  つまみ付きネジ
Ｓ１  収納領域
Ｓ２  配設領域
【図１】
0004443500.tif 000002
【図２】
0004443500.tif 000003
【図３】
0004443500.tif 000004
【図４】
0004443500.tif 000005
【図５】
0004443500.tif 000006